(57)【要約】【課題】  外壁用乾式目地材そのもののコスト低減と、外壁目地に取り付けられた乾式目地材の更新コストの低減を実現する。【解決手段】  外壁目地１０内に嵌め込まれて目地の止水を行う止水用本体部２と、外壁目地１０を屋外側からカバーする化粧部３とを備え、止水用本体部２と化粧部３とは別体のものからなって分離可能に嵌合により連結できるようになされていて、外壁目地１０から止水用本体部２を目地１０内に残したまま化粧部３を取り外せる構造となっている。【選択図】      図１
2005068940.tif 000002
【特許請求の範囲】
【請求項１】
外壁の目地内に嵌め込まれて目地の止水を行う止水用本体部と、外壁目地を屋外側からカバーする化粧部とを備え、
前記止水用本体部と化粧部とは別体のものからなって分離可能に嵌合により連結できるようになされていて、外壁目地から止水用本体部を目地内に残したまま化粧部を取り外せる構造となっていることを特徴とする外壁用乾式目地材。
【請求項２】
請求項１に記載の乾式目地材が、外壁目地に嵌め込まれていることを特徴とする外壁目地の止水構造。
【請求項３】
請求項２に記載の外壁目地の止水構造において、止水用本体部を目地内に残したまま化粧部を取り外し、新たな化粧部を目地内の前記止水用本体部に嵌合により連結して取り付けることを特徴とする乾式目地材の更新方法。
【発明の詳細な説明】
【技術分野】
【０００１】
本発明は、外壁用乾式目地材、外壁目地の止水構造及び乾式目地材の更新方法に関する。
【背景技術】
【０００２】
例えば、外壁パネルを用いて外壁部分を形成するような住宅用建物などにおいて、図７（ホ）に示すように、外壁の目地５１に目地材５２を嵌め込むことによって乾式にて外壁目地５１を止水することは、従来より行われており、そのような乾式目地材５２として最も一般的に用いられるのは、弾性型成形シーリング材の一つであるガスケットであるが、いずれにしても、使用する乾式目地材５２には、外壁の目地５１内に嵌め込まれて目地５１の止水を行う止水用本体部５２ａと、外壁目地５１を屋外側からカバーする化粧部５２ｂとを備えているのが一般的である。
【０００３】
そして、乾式目地材５２の化粧部５２ｂについては、屋外から見えるところであるので、使用する外壁の種類に応じて色や柄を異ならせる必要があり、また、その形態についても、図７（イ）〜（ニ）に示すように様々な形状の化粧部５２ｂ…が備えられることがあり、そのようななかで、従来は、乾式目地材５２は、化粧部５２ｂに求められる色、柄、形態ごとに、止水用本体部５２ａと化粧部５２ｂとを含んだ一体物として製造されていた。
【０００４】
また、乾式目地材５２が、屋外に曝されて紫外線などにより経年的に劣化した場合などにおいて、その更新を行う場合、従来は、止水用本体部５２ａと化粧部５２ｂとを含む乾式目地材５２の全体を新たな乾式目地材と交換することが行われていた。
【発明の開示】
【発明が解決しようとする課題】
【０００５】
しかしながら、本発明者らは調査、研究を重ねていくうち、乾式目地材５２において、化粧部５２ｂに求められる色、柄、形態は上記のように多種多様であるけれども、止水用本体部５２ａについては、化粧部５２ｂの多様性とは反対に、構造的に異ならせる必要のある場合は極めて少ないという事実を突き止めた。それにもかかわらず、従来は、化粧部５２ｂに求められる色、柄、形態に応じて化粧部５２ｂとともに止水用本体部５２ａも同時一体成形していたのであり、そのことが、乾式目地材５２のコスト低減を妨げていた。
【０００６】
また、本発明者らは、外壁目地５１に取り付けられた乾式目地材５２において、交換を要する経年的劣化が、屋外に曝される化粧部５２ｂに生じた場合であっても、化粧部５２ｂで屋外からカバーされている止水用本体部５２ａについては止水性能はなんら損なわれていないという事実も突き止めた。それにもかかわらず、従来は、止水用本体部５２ａと化粧部５２ｂとを含む乾式目地材５２の全体を新たな乾式目地材と交換していたのであり、そのことが、乾式目地材５２の更新コストの低減を妨げていた。
【０００７】
本発明は、上記のような従来の問題点に鑑み、外壁用乾式目地材そのもののコスト低減と、外壁目地に取り付けられた乾式目地材の更新コストの低減を実現することを課題とする。
【課題を解決するための手段】
【０００８】
上記の課題は、外壁の目地内に嵌め込まれて目地の止水を行う止水用本体部と、外壁目地を屋外側からカバーする化粧部とを備え、
前記止水用本体部と化粧部とは別体のものからなって分離可能に嵌合により連結できるようになされていて、外壁目地から止水用本体部を目地内に残したまま化粧部を取り外せる構造となっていることを特徴とする外壁用乾式目地材によって解決される。
【０００９】
この乾式目地材では、止水用本体部と化粧部とは別体のものからなって分離可能に嵌合により連結できるようになされているので、止水用本体部と化粧部とを別々に製造することができ、そのため、求められる色、柄、形態が多種多様な化粧部を、止水用本体部を伴わせることなく別体製造することができ、そのようななかで、止水用本体部については同じ物を量産することができて、外壁用乾式目地材そのもののコストを低減することができる。
【００１０】
しかも、外壁目地から止水用本体部を目地内に残したまま化粧部を取り外せる構造となっているので、外壁目地に取り付けられた乾式目地材の更新においては、止水用本体部の機能に劣化が見られなければ、化粧部のみを新たな化粧部と交換するだけでよく、乾式目地材の更新コストを低減することができる。
【００１１】
また、上記の課題は、上記のような乾式目地材が、外壁目地に嵌め込まれていることを特徴とする外壁目地の止水構造、並びに、そのような止水構造において、止水用本体部を目地内に残したまま化粧部を取り外し、新たな化粧部を目地内の前記止水用本体部に嵌合により連結して取り付けることを特徴とする乾式目地材の更新方法によっても同様に解決される。
【発明の効果】
【００１２】
本発明は、以上のとおりのものであるから、外壁用乾式目地材そのもののコスト低減と、外壁目地に取り付けられた乾式目地材の更新コストの低減を実現することができる。
【発明を実施するための最良の形態】
【００１３】
次に、本発明の実施最良形態を図面に基づいて説明する。
【００１４】
図１（イ）に示す実施形態の外壁用乾式目地材１は、弾性型成形シーリング材としてのガスケットからなっていて、外壁の目地内に嵌め込まれて目地の止水を行う止水用本体部２と、外壁目地を屋外側からカバーする化粧部３とを備え、止水用本体部２と化粧部３とは、図１（ロ）（ハ）に示すように、互いに別体のものからなって、それぞれに備えられている凹凸嵌合部２ａ，３ａ同士のゴム状弾力性を利用した嵌め合わせによって分離可能に連結できるようになされており、外壁目地から止水用本体部２を目地内に残したまま化粧部３を取り外せる構造となっている。
【００１５】
図２（イ）〜（ニ）は、化粧部の形態が異なる複数種類の乾式目地材１，４，５，６を示しており、これら乾式目地材１，４，５，６は、図２（ホ）に示すように、共通の止水用本体部２に、形態の異なる化粧部３，７，８，９を嵌合により連結して構成されたものであり、図３（イ）〜（ニ）に示すように、外壁目地１０に嵌め込んで取り付けられた状態で、屋外に露出する化粧部３，７，８，９の形態がそれぞれ異なるものでありながら、それぞれの乾式目地材１，４，５，６において、止水用本体部２…は互いに同じ構造のものからなっている。
【００１６】
このように、乾式目地材１，４，５，６を上記のような分割構造にすることで、止水用本体部２と化粧部３，７，８，９とを別々に製造することができ、そのため、求められる色、柄、形態が多種多様な化粧部３，７，８，９を、止水用本体部２を伴わせることなく別体製造することができ、そのようななかで、止水用本体部２については同じ物を量産することができて、外壁用乾式目地材１そのもののコストを低減することができる。
【００１７】
図４は、外壁目地に嵌め込まれた乾式目地材１が屋外の紫外線などの作用で経年的に劣化した場合の乾式目地材１の更新方法に一例を示している。この例では、図４（イ）に示すように、劣化１１を起こしているのは化粧部３の屋外側の表層部部分だけであり、従って、図４（ロ）に示すように、化粧部３のみを止水用本体部２から分離して取り外し、次いで、図４（ハ）（ニ）に示すように、同じ形態の新たな化粧部３を、外壁目地１０内の止水用本体部２に、嵌合部２ａ，３ａ同士を嵌め合わせるようにして取り付ける。こうして、乾式目地材１の更新を終えることができ、従って、従来のように、化粧部と止水用本体部が一体の乾式目地材であったならば、止水用本体部も含めて乾式目地材の全体を新たなものと交換しなければならないところ、本発明の乾式目地材によれば、化粧部３のみの交換で済ませることができ、外壁目地材１の更新に資源的な無駄を生じず、また、更新コストを低減することができる。
【００１８】
しかも、乾式目地材１の更新において、止水用本体部２は外壁目地１０内に残されたままであるので、更新工事中、残された止水用本体部２が外壁目地１０を止水状態に保つことができ、天候に左右されることなく更新工事を行うことができる。
【００１９】
図５（イ）〜（ニ）は、既存の化粧部３を、それとは形態の異なる化粧部８と交換することによって、乾式目地材１の更新を行う場合のものである。この例は、図４の例と同じく乾式目地材１の化粧部３の劣化１１に伴う更新についてのものであるが、その他例えば、劣化とは無関係の、外壁のデザイン変更に伴う乾式目地材の更新において、化粧部３の形態の変更を行う場合に適用するようにしてもよい。
【００２０】
図６は、同図（イ）に示すように、乾式目地材１の化粧部３のみならず外壁面材１２，１２の表面部も劣化し、そのため外壁を増し貼りでリフォームする場合の乾式目地材１の更新方法を示したもので、図６（ロ）に示すように、止水用本体部２を残して化粧部３のみを取り外すと共に、増し貼り用の外壁面材１３，１３を取り付け、そして、図６（ハ）に示すように、前とは異なる形態の化粧部１４を止水用本体部２に取り付け、増し貼り用の外壁面材１３，１３間を屋外からカバーするようにしたものである。このように本発明構造の乾式目地材を用いることで、乾式目地材１の更新を化粧部３，１４のみの交換で簡易に行うことができる。
【００２１】
以上に、本発明の実施形態を示したが、本発明はこれに限られるものではなく、発明思想を逸脱しない範囲で各種の変更が可能である。例えば、上記の実施形態では、化粧部と止水用本体部とがゴム状の弾力性を利用した嵌め合わせで分離可能に連結されるようになされている場合を示しているが、その場合に、いずれか一方の嵌合部が硬質でもう一方の嵌合部がゴム状の弾力性を有して分離可能に嵌合連結されるものであってもよいし、いずれの嵌合部もゴム状の弾力性を有して分離可能に嵌合連結されるものであってもよいし、その他、いずれも硬質であるが、嵌合部の可撓性によって分離可能に嵌合連結されるものであってもよいし、要は分離可能に嵌合連結されるものであればよい。
【００２２】
また、止水用嵌合部のみがゴム状の弾力性を備えたものからなって化粧部は硬質のものからなっているような乾式目地材に構成されていてもよいし、また、化粧部は、止水機能を備えたものであってもよいし備えないものであってもよい。
【図面の簡単な説明】
【００２３】
【図１】図（イ）は実施形態の外壁用乾式目地材を示す斜視図、図（ロ）はその目地材を構成する化粧部の斜視図、図（ハ）は同止水用基部の斜視図である。
【図２】図（イ）〜図（ニ）はそれぞれ、本発明の乾式目地材の例を示す断面図、図（ホ）は同目地材の構造を示す断面図である。
【図３】図（イ）〜図（ニ）はそれぞれ、外壁目地における各乾式目地材の取付け状態を示す断面図である。
【図４】図（イ）〜図（ニ）は外壁目地材の更新方法の一例を順次に示す断面図である。
【図５】図（イ）〜図（ニ）は外壁目地材の更新方法の他の例を順次に示す断面図である。
【図６】図（イ）〜図（ハ）は外壁目地材の更新方法の更に他の例を順次に示す断面図である。
【図７】従来例を示すもので、図（イ）〜図（ニ）はそれぞれ乾式目地材の例を示す断面図、図（ホ）は外壁目地における乾式目地材の取付け状態を示す断面図である。
【符号の説明】
【００２４】
１，４，５，６…外壁用乾式目地材
２…止水用本体部
３，７，８，９，１４…化粧部
１０…外壁目地
【図１】
2005068940.tif 000003
【図２】
2005068940.tif 000004
【図３】
2005068940.tif 000005
【図４】
2005068940.tif 000006
【図５】
2005068940.tif 000007
【図６】
2005068940.tif 000008
【図７】
2005068940.tif 000009